(57)【要約】【課題】追記部を容易にかつ迅速に削除することができ、読み取り互換性を高くし、また、従来のマルチセッション書き込みと同様の使い勝手、あるいは従来のマルチセッション書き込みにはない使い勝手を実現する。【解決手段】再生専用領域１１のファースト  セッションに予めＩＳＯ９６６０構造を書き込み、かつ書換可能領域１２のセカンド  セッションを予めフィクスト  パケット  フォーマット（Ｆｉｘｅｄ  Ｐａｃｋｅｔ  Ｆｏｒｍａｔ）したハイブリッドＣＤ−ＲＷディスク４において、前記書換可能領域１２のセカンド  セッションの開始セクタ（ＬＢＡ＝Ｎ）から１６セクタ目以降に、前記再生専用領域１１のファースト  セッションにおけるボリューム管理情報（ボリューム記述子ＰＶＤ，ＳＶＤ）を書き込む。【選択図】    図７
2004362677.tif 000002
【特許請求の範囲】
【請求項１】
再生専用領域と書換可能領域とを有し、前記再生専用領域にファイル・ディレクトリが予め書き込まれており、前記書換可能領域は固定長データブロックによりフォーマットされているハイブリッド記録媒体であって、
前記書換可能領域に、前記再生専用領域のファイル・ディレクトリへのリンク情報のファイル構造データ部を設けたことを特徴とするハイブリッド記録媒体。
【請求項２】
前記ファイル構造データがＩＳＯ９６６０ファイルシステムであることを特徴とする請求項１記載のハイブリッド記録媒体。
【請求項３】
再生専用領域と書換可能領域とを有し、前記再生専用領域にファイル・ディレクトリが予め書き込まれており、前記書換可能領域は固定長データブロックによりフォーマットされているハイブリッド記録媒体に対する初期化方法であって、
前記書換可能領域に、前記再生専用領域のファイル・ディレクトリへのリンク情報のファイル構造データを書き込むことを特徴とするハイブリッド記録媒体初期化方法。
【請求項４】
再生専用領域と書換可能領域とを有し、前記再生専用領域にファイル・ディレクトリが予め書き込まれており、前記書換可能領域は固定長データブロックによりフォーマットされているハイブリッド記録媒体に対する初期化プログラムであって、
コンピュータに、前記書換可能領域に対して、前記再生専用領域のファイル・ディレクトリへのリンク情報のファイル構造データを書き込む処理を実行させるためのハイブリッド記録媒体初期化プログラム。
【請求項５】
再生専用領域と書換可能領域とを有し、前記再生専用領域にファイル・ディレクトリが予め書き込まれており、前記書換可能領域に、前記再生専用領域のファイル・ディレクトリへのリンク情報、および該書換可能領域のファイル・ディレクトリを含むファイル構造データが書き込まれているハイブリッド記録媒体に対する新規データ追記方法であって、
前記書換可能領域に、前記再生専用領域上のファイル・ディレクトリへのリンク情報と、前記書換可能領域上のファイル・ディレクトリと、新規追加するファイル・ディレクトリとからなる新規ファイル構造データを書き込むことを特徴とするハイブリッド記録媒体に対する新規データ追記方法。
【請求項６】
再生専用領域と書換可能領域とを有し、前記再生専用領域にファイル・ディレクトリが予め書き込まれており、前記書換可能領域に、前記再生専用領域のファイル・ディレクトリへのリンク情報、および該書換可能領域のファイル・ディレクトリを含むファイル構造データが書き込まれているハイブリッド記録媒体に対する新規データ追記プログラムであって、
コンピュータに、前記書換可能領域に対して、前記再生専用領域上のファイル・ディレクトリへのリンク情報と、前記書換可能領域上のファイル・ディレクトリと、新規追加するファイル・ディレクトリとからなる新規ファイル構造データを書き込む処理を実行させるためのハイブリッド記録媒体に対する新規データ追記プログラム。
【請求項７】
再生専用領域と書換可能領域とを有し、前記再生専用領域にファイル・ディレクトリが予め書き込まれており、前記書換可能領域に、前記再生専用領域のファイル・ディレクトリへのリンク情報、および該書換可能領域のファイル・ディレクトリを含むファイル構造データが書き込まれているハイブリッド記録媒体に対する新規データ追記方法であって、
前記書換可能領域に、前記再生専用領域上のファイル・ディレクトリへのリンク情報と、新規追加するファイル・ディレクトリとからなる新規ファイル構造データを書き込むことを特徴とするハイブリッド記録媒体に対する新規データ追記方法。
【請求項８】
再生専用領域と書換可能領域とを有し、前記再生専用領域にファイル・ディレクトリが予め書き込まれており、前記書換可能領域に、前記再生専用領域のファイル・ディレクトリへのリンク情報、および該書換可能領域のファイル・ディレクトリを含むファイル構造データが書き込まれているハイブリッド記録媒体に対する新規データ追記プログラムであって、
コンピュータに、前記書換可能領域に対して、前記再生専用領域上のファイル・ディレクトリへのリンク情報と、新規追加するファイル・ディレクトリとからなる新規ファイル構造データを書き込む処理を実行させるためのハイブリッド記録媒体に対する新規データ追記プログラム。
【発明の詳細な説明】
【０００１】
【発明の属する技術分野】
本発明は、再生専用領域と書換可能領域を有するハイブリッド記録媒体に係り、特にハイブリッド記録媒体の構成、およびそのハイブリッド記録媒体に適用される初期化方法，初期化プログラム、ならびに新規データ追記方法，新規データ追記プログラムに関するものである。
【０００２】
【従来の技術】
近年、光ディスク、例えばコンパクトディスクなどにおいて、再生専用領域と、書換可能領域とを有するハイブリッドディスク（Ｈｙｂｒｉｄ  ＣＤ−ＲＷ）が実用化されつつある（特許文献１参照）。
【０００３】
ハイブリッドＣＤ−ＲＷには、初期状態において、例えば再生専用領域をゲームソフトウェア格納部とし、また書換可能領域を未記録部とする用途がある。
【０００４】
このような初期状態の構成を持つハイブリッドＣＤ−ＲＷでは、ユーザがゲームする際に、ゲームの進行状況（コンティニュー情報、およびその履歴など）を書換可能領域に逐一記録することにより、ユーザは常に前回終了した時点からのプレイを開始することが可能になる。さらに、書換可能領域に追記されたコンティニュー情報などをすべて消去すれば、初期状態つまり、ゲーム開始時の状態に戻すことができるようになる。
【０００５】
一方、ハイブリッドＣＤ−ＲＷの書換可能領域への追記方法としては、読み取り互換性などを考慮して、マルチセッション追記，トラック  アット  ワンス（Ｔｒａｃｋ  Ａｔ  Ｏｎｃｅ）書き込み方式、およびＩＳＯ９６６０ファイルシステムの組み合わせが多く用いられている。この場合、例えば、再生専用領域にファースト  セッション（１ｓｔ  Ｓｅｓｓｉｏｎ）が存在し、書換可能領域にセカンド  セッション（２ｎｄ  Ｓｅｓｓｉｏｎ）以降を追記していく構成になる。
【０００６】
【特許文献１】
特開２００２−１１７５４８号公報
【０００７】
【発明が解決しようとする課題】
上述したハイブリッドＣＤ−ＲＷ、およびその書き込み方法では、以下のような課題がある。
【０００８】
すなわち、既述したように、ハイブリッドＣＤ−ＲＷには、書換可能領域に書き込んだデータを消去することができるという、ハイブリッドＣＤ−Ｒにはない、大きな特徴がある。
【０００９】
実際に消去する際の消去方法として、一般的な業界標準であるＭＭＣ規格（Ｍｕｌｔｉ  Ｍｅｄｉａ  Ｃｏｍｍａｎｄ規格）準拠のＣＤ−ＲＷドライブにてサポートされているブランクコマンド（Ｂｌａｎｋ  Ｃｏｍｍａｎｄ）のブランク  ザ  ディスク  モード（Ｂｌａｎｋ  ｔｈｅ  Ｄｉｓｃ  Ｍｏｄｅ）を用いると、このモードはディスク全面のデータを消去するものであるため、現状のハイブリッドＣＤ−ＲＷに全面消去を施すと、再生専用領域のデータが破壊されてしまうという問題がある。
【００１０】
これを避けるために、同じくブランクコマンド（Ｂｌａｎｋ  Ｃｏｍｍａｎｄ）のラスト  セッション  イレイス  モード（Ｌａｓｔ  Ｓｅｓｓｉｏｎ  Ｅｒａｓｅ  Ｍｏｄｅ）を用いると、このモードは、ディスク上の最終セッションのみを消去するものであることから、これを繰り返し用いることにより、ハイブリッドＣＤ−ＲＷを初期状態に戻すことができる。例えば、Ｎセッション書き込み済のハイブリッドＣＤ−ＲＷディスクに対し、（Ｎ−１）回のラスト  セッション  イレイス（Ｌａｓｔ  Ｓｅｓｓｉｏｎ  Ｅｒａｓｅ）を行えば初期状態に戻る。
【００１１】
しかし、ＭＭＣ規格において、このラスト  セッション  イレイス  モード（Ｌａｓｔ  Ｓｅｓｓｉｏｎ  Ｅｒａｓｅ  Ｍｏｄｅ）は、ブランクコマンド（Ｂｌａｎｋ  Ｃｏｍｍａｎｄ）の一オプションという扱いであり、全てのドライブがサポートしている機能ではない。仮に、ラスト  セッション  イレイス  モードをサポートしているドライブであっても、この動作には、セッション数が多ければ多いほど、長時間を必要とする。
【００１２】
以上のように、現状では、マルチセッション追記を施したハイブリッドＣＤ−ＲＷに対し、確実に初期化する（追記部を消去する）方法がないという課題がある。
【００１３】
また、特許文献１に記載の発明では、書換可能領域を離散的に構成することにより、書換可能領域のデータの書換（消去も含む）を実現しているが、この発明では、書換可能領域のファイルシステムにＵＤＦ（Ｕｎｉｖｅｒｓａｌ  Ｄｉｓｋ  Ｆｏｒｍａｔ）を用いているため、書換可能領域のデータの読み出しには、ＵＤＦ専用のドライバが必要になる。ＵＤＦのドライバは汎用的なオペレーティングシステムには標準で添付されていない場合が多く、読み取り互換性において問題がある。
【００１４】
本発明は、前記のような課題に対処し、追記部を容易にかつ迅速に削除することができ、読み取り互換性が高く、しかも従来のマルチセッション書き込みと同様の使い勝手、あるいは従来のマルチセッション書き込みにはない使い勝手を実現するハイブリッド記録媒体，初期化方法，初期化プログラム、および新規データ追記方法ならびに新規データ追記プログラムを提供することを目的とする。
【００１５】
【課題を解決するための手段】
前記目的を達成するため、請求項１に記載の発明は、再生専用領域と書換可能領域とを有し、前記再生専用領域にファイル・ディレクトリが予め書き込まれており、前記書換可能領域は固定長データブロックによりフォーマットされているハイブリッド記録媒体であって、前記書換可能領域に、前記再生専用領域のファイル・ディレクトリへのリンク情報のファイル構造データ部を設けたことをことを特徴とし、この構成によって、再生専用領域上のデータのみがマウントされる状態にすることができるため、容易かつ迅速に初期化することができる。
【００１６】
請求項２に記載の発明は、請求項１記載のハイブリッド記録媒体において、ファイル構造データがＩＳＯ９６６０ファイルシステムであることを特徴とし、この構成によって、読み取りの互換性がよい。
【００１７】
請求項３に記載の発明は、再生専用領域と書換可能領域とを有し、前記再生専用領域にファイル・ディレクトリが予め書き込まれており、前記書換可能領域は固定長データブロックによりフォーマットされているハイブリッド記録媒体に対する初期化方法であって、前記書換可能領域に、前記再生専用領域のファイル・ディレクトリへのリンク情報のファイル構造データを書き込むことを特徴とし、この構成によって、前記と同様に、容易かつ迅速に初期化を行うことができる。
【００１８】
請求項４に記載の発明は、再生専用領域と書換可能領域とを有し、前記再生専用領域にファイル・ディレクトリが予め書き込まれており、前記書換可能領域は固定長データブロックによりフォーマットされているハイブリッド記録媒体に対する初期化プログラムであって、コンピュータに、前記書換可能領域に対して、前記再生専用領域のファイル・ディレクトリへのリンク情報のファイル構造データを書き込む処理を実行させることにより、前記と同様に、容易かつ迅速に初期化を実行することができる。
【００１９】
請求項５に記載の発明は、再生専用領域と書換可能領域とを有し、前記再生専用領域にファイル・ディレクトリが予め書き込まれており、前記書換可能領域に、前記再生専用領域のファイル・ディレクトリへのリンク情報、および該書換可能領域のファイル・ディレクトリを含むファイル構造データが書き込まれているハイブリッド記録媒体に対する新規データ追記方法であって、前記書換可能領域に、前記再生専用領域上のファイル・ディレクトリへのリンク情報と、前記書換可能領域上のファイル・ディレクトリと、新規追加するファイル・ディレクトリとからなる新規ファイル構造データを書き込むことを特徴とし、この構成によって、従来のマルチセッション追記（Ｔｒａｃｋ  Ａｔ  Ｏｎｃｅ）と同じ使い勝手の追記が可能になる。
【００２０】
請求項６に記載の発明は、再生専用領域と書換可能領域とを有し、前記再生専用領域にファイル・ディレクトリが予め書き込まれており、前記書換可能領域に、前記再生専用領域のファイル・ディレクトリへのリンク情報、および該書換可能領域のファイル・ディレクトリを含むファイル構造データが書き込まれているハイブリッド記録媒体に対する新規データ追記プログラムであって、コンピュータに、前記書換可能領域に対して、前記再生専用領域上のファイル・ディレクトリへのリンク情報と、前記書換可能領域上のファイル・ディレクトリと、新規追加するファイル・ディレクトリとからなる新規ファイル構造データを書き込む処理を実行させることにより、前記と同様に、従来のマルチセッション追記と同じ使い勝手の追記が可能になる。
【００２１】
請求項７に記載の発明は、再生専用領域と書換可能領域とを有し、前記再生専用領域にファイル・ディレクトリが予め書き込まれており、前記書換可能領域に、前記再生専用領域のファイル・ディレクトリへのリンク情報、および該書換可能領域のファイル・ディレクトリを含むファイル構造データが書き込まれているハイブリッド記録媒体に対する新規データ追記方法であって、前記書換可能領域に、前記再生専用領域上のファイル・ディレクトリへのリンク情報と、新規追加するファイル・ディレクトリとからなる新規ファイル構造データを書き込むことを特徴とし、この構成によって、前記従来のマルチセッション追記にはない書き込みを実現することができる。
【００２２】
請求項８に記載の発明は、再生専用領域と書換可能領域とを有し、前記再生専用領域にファイル・ディレクトリが予め書き込まれており、前記書換可能領域に、前記再生専用領域のファイル・ディレクトリへのリンク情報、および該書換可能領域のファイル・ディレクトリを含むファイル構造データが書き込まれているハイブリッド記録媒体に対する新規データ追記プログラムであって、コンピュータに、前記書換可能領域に対して、前記再生専用領域上のファイル・ディレクトリへのリンク情報と、新規追加するファイル・ディレクトリとからなる新規ファイル構造データを書き込む処理を実行させることにより、前記と同様に、前記従来のマルチセッション追記にはない書き込みを実現することができる。
【００２３】
【発明の実施の形態】
以下、本発明の実施の形態を図面を参照して説明する。
【００２４】
図１は本発明の実施形態を説明するためのハイブリッドＣＤ−ＲＷディスクを適用することが可能なシステム全体の構成例であり、１はハイブリッドＣＤ−ＲＷディスク書き込みアプリケーションプログラム２がメモリ部に格納されているコンピュータ、３はコンピュータ１に接続された情報記録／再生装置（以下、ドライブ装置と称す）、４はハイブリッドＣＤ−ＲＷディスクである。
【００２５】
図２は前記ハイブリッドＣＤ−ＲＷディスク書き込みアプリケーションプログラムの機能の説明図であり、ハイブリッドＣＤ−ＲＷディスク書き込みアプリケーションプログラム２は、オペレーティングシステム５上で動作し、初期化機能６，データ追記機能７，その他の各種機能８、およびドライブ装置３を駆動するための書き込み・読み込みドライバ９などを備えている。
【００２６】
図３は前記ハイブリッドＣＤ−ＲＷディスクにおけるデータ領域を示す説明図であり、該ディスク４は、再生専用領域１１と書換可能領域１２とを具備し、再生専用領域１１には、予めアプリケーションプログラムなどが書き込まれており、また、書換可能領域１２に対して、ユーザが該ディスク使用時に任意のデータを書き込むことができるようになっている。
【００２７】
図４は前記ハイブリッドＣＤ−ＲＷにおける再生専用領域と書換可能領域との説明図であり、再生専用領域１１は、トラック  アット  ワンス（Ｔｒａｃｋ  Ａｔ  Ｏｎｃｅ）方式で書き込まれた一つのセッション（１ｓｔ  Ｓｅｓｓｉｏｎ：ファースト  セッション）である。
【００２８】
また、書換可能領域１２は、フィクスト  パケット（Ｆｉｘｅｄ  Ｐａｃｋｅｔ）方式でフォーマットされた一つのセッション（２ｎｄ  Ｓｅｓｓｉｏｎ：セカンド  セッション）である。このように、書換可能領域１２をフィクスト  パケット（Ｆｉｘｅｄ  Ｐａｃｋｅｔ）方式でフォーマットすることにより、該書換可能領域１２に書き込まれたデータをパケット単位でオーバーライトすることが可能となる。
【００２９】
なお、再生専用領域１１は、トラック  アット  ワンス（Ｔｒａｃｋ  Ａｔ  Ｏｎｃｅ）方式以外の方式で書き込まれてもよく、また、該再生専用領域１１は複数セッションより構成されていてもよい。
【００３０】
以下の説明では、再生専用領域１１に一つのセッションが書き込まれているものとする。
【００３１】
また、本実施形態では、ファイルシステムとして、ＩＳＯ９６６０ファイルシステムを用いるものとする。
【００３２】
図５は任意のセッションにおけるＩＳＯ９６６０構造を説明するものであり、セッションの開始セクタ（ＬＢＡ＝Ｎ）から１６セクタ目以降に、ボリューム管理情報１３が書き込まれる。具体例としては、１６セクタ目には基本ボリューム記述子（ＰＶＤ）が書き込まれ、以降のセクタには、必要に応じて副ボリューム記述子（ＳＶＤ）が書き込まれる。さらに、ボリューム記述子群の最後のセクタには、ボリューム記述子集合終端子が書き込まれる。
【００３３】
ボリューム管理情報１３の次には、パステーブル情報１４，ディレクトリ情報１５，ファイルの実体（実データ）１６が書き込まれる。
【００３４】
前記パステーブル情報１４は、該ディスク４に書き込まれているディレクトリに関する属性（識別子，開始セクタなど）を持つテーブルであって、Ｌ形パステーブルとＭ形パステーブルの２種類からなる。
【００３５】
また、前記ディレクトリ情報１５は、個々のディレクトリごとに存在し、各ディレクトリが持つサブディレクトリ、あるいはファイルの属性（識別子，開始セクタ）を持つテーブルである。
【００３６】
なお、前記のパステーブル情報１４，ディレクトリ情報１５，ファイルの実体１６が書き込まれる順序は任意である。
【００３７】
前記ボリューム記述子（ＰＶＤ，ＳＶＤ）は、パステーブル情報、およびルートディレクトリの開始セクタ情報を持っており、これらの情報により、該ディスク４上のディレクトリ・ファイルの「木構造」が構築されている（図６）。
【００３８】
なお、１枚のディスクに複数セッションが存在し、それぞれがＩＳＯ９６６０構造を持つとき、常に最終セッションのＩＳＯ９６６０構造が有効になる、言い換えると、最終セッションのボリューム管理情報が読み込まれることが、規格上規定されている。
【００３９】
次に、本実施形態におけるハイブリッドＣＤ−ＲＷディスクおよびその初期化方法について説明する。
【００４０】
本ハイブリッドＣＤ−ＲＷディスク４には、図４に示すように、再生専用領域１１のファースト・セッションに、予めＩＳＯ９６６０構造が書き込まれており、書換可能領域１２のセカンド・セッションには、予めフィクスト  パケット（Ｆｉｘｅｄ  Ｐａｃｋｅｔ）がフォーマットされている。
【００４１】
このような基本構造のハイブリッドＣＤ−ＲＷディスク４に対し、図７に示すように、セカンド・セッションの開始セクタ（ＬＢＡ＝Ｎ）から１６セクタ目以降に、ボリューム管理情報（ボリューム記述子ＰＶＤ，ＳＶＤ）を書き込む。
【００４２】
すなわち、図９に示すフローチャートに示すように、コンピュータ１におけるハイブリッドＣＤ−ＲＷディスク書き込みアプリケーションプログラム２を実行させて、ファースト  セッションからＬＢＡ（Ｌｏｇｉｃａｌ  Ｂｌｏｃｋ  Ａｄｄｒｅｓｓ）＝１６のＰＶＤを読み出し（Ｓ１１）、読み出したＰＶＤよりルートディレクトリ，パステーブルの各アドレス（ｒｔＡｄｄｒ，ｐｔＡｄｄｒ）を取得し（Ｓ１２）、セカンド  セッション用のＰＶＤの雛形データを作成して（Ｓ１３）、その雛形データの所定のオフセット位置に各アドレス（ｒｔＡｄｄｒ，ｐｔＡｄｄｒ）を設定する（Ｓ１４）。そして、このようにして作成したＰＤＶデータをセカンド  セッションのＬＢＡ（＝Ｎ＋１６）に書き込み（Ｓ１５）、図７に示すような構成にする。
【００４３】
このとき、既述したＰＶＤ，ＳＶＤが持つ、パステーブル情報およびルートディレクトリの開始セクタに、各々ファースト  セッションのパステーブル開始セクタ、およびファースト  セッションのルートディレクトリ開始セクタを設定する。
【００４４】
このような構成のハイブリッドＣＤ−ＲＷディスクを、コンピュータにマウントさせた場合、図８に示すように、セカンド  セッション（最終セッション）のボリューム管理情報が読み込まれ、この情報からディレクトリ・ファイルの「木構造」が構築される。セカンド  セッションのボリューム管理情報には、ファースト  セッションのパステーブル情報，ルートディレクトリの開始セクタが設定されているので、この場合、ファースト  セッションに書き込まれたディレクトリあるいはファイルがマウントされる。これは、ファースト  セッションのみが存在するディスクをマウントさせた場合と同じことになる。
【００４５】
ここで、本ハイブリッドＣＤ−ＲＷディスクにおいて、セカンド  セッションに既に何らかのユーザデータが書き込まれている場合を考える。
【００４６】
このような場合において、前述と同様に、セカンド  セッションの開始セクタから１６セクタ目以降に、ボリューム管理情報（ＰＶＤ，ＳＶＤなど）を書き込む。セカンド  セッションは、フィクスト  パケット  フォーマット（Ｆｉｘｅｄ  Ｐａｃｋｅｔ  Ｆｏｒｍａｔ）されているので、該セクタをオーバライトすればよい。
【００４７】
このとき、ＰＶＤ，ＳＶＤが持つ、パステーブル情報およびルートディレクトリの開始セクタに、各々ファースト  セッションのパステーブル開始セクタ、およびファースト  セッションのルートディレクトリ開始セクタを設定する。このような構成のディスクをマウントすれば、前述した通り、ファースト  セッションのディレクトリ，ファイルがマウントされる。この際、セカンド  セッションに書き込まれていたユーザデータはマウントされない。これはセカンド  セッションのデータを削除した状態（ファースト  セッションのデータのみがマウントされる状態）と同じである。
【００４８】
なお、本実施形態においては、初期化の際にセカンド  セッションに書き込まれるデータとしてボリューム管理情報のみを挙げたが、図１０に示すように、ボリューム管理情報，パステーブル情報，ディレクトリ情報をセカンド  セッションに書き込んでもよい。
【００４９】
次に、ハイブリッドＣＤ−ＲＷディスクのセカンド  セッションへの追記方法、および追記プログラムの実施形態１について、図１１〜図１４のフローチャートを参照して説明する。該ディスクにおいて、セカンド  セッションには、既にＩＳＯ９６６０構造よりなるユーザデータ（ディレクトリ，ファイル）が書き込まれているものとする。
【００５０】
本ハイブリッドＣＤ−ＲＷディスクに対し、ディレクトリあるいはファイルを追記する場合、コンピュータ１の書き込みアプリケーションプログラム２は、まずセカンド  セッションのＬＢＡ（＝Ｎ＋１６）より読み出したボリューム管理情報から、パステーブル、およびルートディレクトリの開始セクタｐｔＡｄｄｒを読み取り（Ｓ２１）、パステーブルに登録された最初のエントリーデータを読み込む（Ｓ２２）。
【００５１】
次に、これらの情報から「ディレクトリ・ファイル構造」をたどり、既にディスク（ファースト  セッションおよびセカンド  セッション）に書き込まれているディレクトリおよびファイルをサーチし、書き込み対象リストに登録していく（Ｓ２３，Ｓ２４，図１２のＳ３０，Ｓ３１）。
【００５２】
この際、図１２に示すように、ファイルに係る登録において（Ｓ３１）、該ファイルの実体の開始セクタｆＡｄｄｓが、セカンド  セッションの開始セクタＮより大きいとき、つまりファイルの実体がセカンド  セッション上に存在するとき、該ファイルの読み取り属性をＯＮに設定して、書き込み対象リストに登録する。逆に、該ファイルの実体の開始セクタｆＡｄｄｓが、セカンド  セッションの開始セクタＮより小さいとき、つまりファイルの実体がファースト  セッション上に存在するとき、該ファイルの読み取り属性をＯＦＦに設定して、書き込み対象リストに登録する（Ｓ３２）。前記のステップの処理を全てのエントリーデータに対して行う（Ｓ２５，Ｓ２６）。
【００５３】
このように既存のディレクトリ、およびファイルの書き込み対象リストへの登録が終了し、さらに新規に追記するディレクトリおよびファイルの書き込み対象リストへの登録が終了したら（Ｓ２７，詳細は図１３参照）、該リストからイメージファイルを作成する（Ｓ２８，詳細は図１４参照）。
【００５４】
この際、イメージファイルの作成においては、図１４に示すディレクトリとファイルの判断ステップのように、書き込み対象リストに登録されたファイルに関して、該ファイルの読み取り属性がＯＮであるファイルについては、ディスクからファイルの実体を読み取り、イメージファイルに追加する。
【００５５】
前記のステップが全てのエントリーデータに対して行われると、最終的に、作成されたイメージファイルをセカンド  セッションのスタートアドレスからオーバーライトする（Ｓ２９）。
【００５６】
このようにすることにより、実施形態１では、通常のマルチセッションおよびトラック  アット  ワンス追記と同じ使い勝手の書き込みが可能となる。
【００５７】
次に、ハイブリッドＣＤ−ＲＷディスクのセカンド  セッションへの追記方法、および追記プログラムの実施形態２について、図１５〜図１６、および図１３，図１４のフローチャートを参照して説明する。なお、実施形態２ではハイブリッドＣＤ−ＲＷディスクのセカンド  セッションに、既にＩＳＯ９６６０構造より成るユーザデータ（ディレクトリ，ファイル）が書き込まれているものとする。
【００５８】
コンピュータ１の書き込みアプリケーションプログラム２は、まずファーストセッションのＬＢＡ（＝１６）より読み出したボリューム管理情報から、パステーブル、およびルートディレクトリの開始セクタｐｔＡｄｄｒを読み取り（Ｓ４１）、パステーブルに登録された最初のエントリーデータを読み込む（Ｓ４２）。
【００５９】
次に、これらの情報から「ディレクトリ・ファイル構造」をたどり、既にディスク（ファースト  セッションおよびセカンド  セッション）に書き込まれているディレクトリおよびファイルをサーチし、書き込み対象リストに登録していく（Ｓ４３，図１６のＳ４３，Ｓ４９）。
【００６０】
この際、図１６に示すように、ファイルに係る登録において（Ｓ４９）、該ファイルの読み取り属性をＯＦＦに設定し、書き込み対象リストに登録する。前記のステップの処理を全てのエントリーデータに対して行う（Ｓ４４，Ｓ４５）。
【００６１】
このようにして、既存の（この場合、ファースト  セッションの）ディレクトリおよびファイルの書き込み対象リストへの登録が終了し、さらに新規に追記するディレクトリおよびファイルの書き込み対象リストへの登録が終了したら（Ｓ４６，図１３参照）、次ぎに該リストからイメージファイルを作成する（Ｓ４７，図１４参照）。
【００６２】
この際、イメージファイルの作成において、図１４にて説明したと同様に、書き込み対象リストに登録されたファイルに関して、該ファイルの読み取り属性がＯＮであるファイルについては、ディスクからファイルの実体を読み取り、イメージファイルに追加する。
【００６３】
前記のステップが全てのエントリーデータに対して行われると、最終的に、作成されたイメージファイルをセカンド  セッションのスタートアドレスからオーバーライトする（Ｓ４８）。
【００６４】
この実施形態２により、図１７（ａ）に示す次のような書き込みが可能となる。
【００６５】
すなわち、ファースト  セッションに「ファイルＡ」が書き込まれているハイブリッドＣＤ−ＲＷディスクＸに対し、インポート有りで（前のセッションのデータへのリンクを有効にして）、セカンド  セッションに「ファイルＢ」を書き込む。この段階で該ディスクＸをコンピュータにマウントすると、「ファイルＡ」と「ファイルＢ」が見える。
【００６６】
該ディスクＸに対し、実施形態２による追記方法によって「ファイルＣ」を追記（インポート有り）すると、既にセカンド  セッション上に存在する「ファイルＢ」を無視し、セカンド  セッション上には「ファイルＣ」のみが存在するディスクが作成される。結果的に該ディスクＸをマウントすると、「ファイルＡ」と「ファイルＣ」が見えるようになる。
【００６７】
なお、「ファイルＣ」を追記する際、実施形態１による追記方法によって追記すると、図１７（ｂ）に示すような、従来のマルチセッションおよびトラック  アット  ワンス（Ｔｒａｃｋ  Ａｔ  Ｏｎｃｅ）方式で追記した場合と同じように、「ファイルＡ」、「ファイルＢ」、「ファイルＣ」が見えるようになる。
【００６８】
【発明の効果】
以上説明したように、本発明に係る再生専用領域と書換可能領域を有するハイブリッド記録媒体、および初期化方法，初期化プログラムによれば、再生専用領域上のデータのみがマウントされる状態にすることができるため、追記部を容易かつ迅速に初期化することができ、読み取り互換性が高くなる。
【００６９】
また、本発明に係る新規データ追記方法および新規データ追記プログラムによれば、従来のマルチセッション追記（Ｔｒａｃｋ  Ａｔ  Ｏｎｃｅ）と同じ使い勝手の追記法を提供でき、さらに、従来のマルチセッション追記にはない書き込み方法を実現することができる。
【図面の簡単な説明】
【図１】本発明の実施形態を説明するためのハイブリッドＣＤ−ＲＷディスクを用いるシステム全体の構成例
【図２】ハイブリッドＣＤ−ＲＷディスク書き込みアプリケーションプログラムの機能を示す説明図
【図３】ハイブリッドＣＤ−ＲＷディスクにおけるデータ領域を示す説明図
【図４】ハイブリッドＣＤ−ＲＷディスクにおける再生専用領域と書換可能領域との説明図
【図５】ハイブリッドＣＤ−ＲＷディスクの任意のセッションにおけるＩＳＯ９６６０構造の説明図
【図６】ハイブリッドＣＤ−ＲＷディスクにおけるディレクトリ・ファイルの「木構造」の説明図
【図７】本実施形態のハイブリッドＣＤ−ＲＷディスクにおいて書換可能領域にボリューム管理情報を設けた状態の説明図
【図８】本実施形態におけるファースト  セッションとセカンド  セッションとの関係を示す図
【図９】本実施形態のハイブリッドＣＤ−ＲＷディスクにおいて書換可能領域にボリューム管理情報を設置する方法に係るフローチャート
【図１０】本実施形態の書換可能領域にボリューム管理情報，パステーブル情報，ディレクトリ情報をセカンド  セッションに書き込んだ例の説明図
【図１１】ハイブリッドＣＤ−ＲＷディスクのセカンド  セッションへの追記方法、および追記プログラムの本発明の実施形態１を説明するための追記処理全体に係るフローチャート
【図１２】図１１のフローにおけるディレクトリ内のエントリ検索・登録・選別ルーチンに係るフローチャート
【図１３】図１１のフローにおける新規追加対象ファイル・ディレクトリの登録ルーチンに係るフローチャート
【図１４】図１１のフローにおけるイメージファイル作成ルーチンに係るフローチャート
【図１５】ハイブリッドＣＤ−ＲＷディスクのセカンド  セッションへの追記方法、および追記プログラムの本発明の実施形態２を説明するための追記処理全体に係るフローチャート
【図１６】図１５のフローにおけるディレクトリ内のエントリ検索・登録・選別ルーチンに係るフローチャート
【図１７】実施形態２により可能となるデータ書き込みと、従来のこの種のデータ書き込みとを比較する説明図
【符号の説明】
１  コンピュータ
２  ハイブリッドＣＤ−ＲＷディスク書き込みアプリケーション
３  ドライブ装置
４  ハイブリッドＣＤ−ＲＷディスク
５  オペレーティングシステム
９  書き込み・読み込みドライバ
１１  ハイブリッドＣＤ−ＲＷディスクの再生専用領域
１２  ハイブリッドＣＤ−ＲＷディスクの書換可能領域
１３  ボリューム管理情報
１４  パステーブル情報
１５  ディレクトリ情報
１６  ファイルの実体
【図１】
2004362677.tif 000003
【図２】
2004362677.tif 000004
【図３】
2004362677.tif 000005
【図４】
2004362677.tif 000006
【図５】
2004362677.tif 000007
【図６】
2004362677.tif 000008
【図７】
2004362677.tif 000009
【図８】
2004362677.tif 000010
【図９】
2004362677.tif 000011
【図１０】
2004362677.tif 000012
【図１１】
2004362677.tif 000013
【図１２】
2004362677.tif 000014
【図１３】
2004362677.tif 000015
【図１４】
2004362677.tif 000016
【図１５】
2004362677.tif 000017
【図１６】
2004362677.tif 000018
【図１７】
2004362677.tif 000019